(57)【要約】【課題】従来の携帯用手提げ袋は、折り畳んだり、丸めたりしてコンパクトにするため、素材として薄布材や薄シ−ト材が使われている。しかし、薄布材や薄シ−ト材であると手提げ袋の中に物品を入れて重くなった場合、手指等に食い込んで痛くなり、身体に負担が掛かる。特に、薄シ−ト材のレジ袋に於いては、専用の提げ具が必要で多く販売されている。このように、従来の携帯用手提げ袋には身体に負担が掛かると云う課題があった。【解決手段】折り畳んだり、丸めてコンパクトにできる薄布材や薄シ−ト材で形成した提げ袋の提げ手の一部に、袋本体と提げ手自体が収納できるバッグを付設して、提げ袋を使用しない時は、袋本体と提げ手を収納して、ポーチの様に気軽に携帯する。提げ袋を使用する時は、袋本体に物品をいれて、提げ手の付設バッグを緩衝パッドとして使うと負担なく楽に運べる。このように、気軽に携帯でき、身体に負担を掛けずに物品が運べる提げ袋を提供する。【選択図】図１
2009028471.tif 000002
【特許請求の範囲】
【請求項１】
折り畳みや丸めることが可能な薄布材、薄シ−ト材で形成されている提げ袋であって、開口部がある袋本体と、前記袋本体の開口部側面に設けられた左右で一対の提げ手を折り畳んだり丸めたりして収納することができると共に、前記提げ袋の使用時には前記左右の提げ手の一部を包覆して束ねさせるよう、前記左右の提げ手のいずれか一方に付設された緩衝パッドにもなるバッグを備えて成ることを特徴とする提げ袋。
【発明の詳細な説明】
【技術分野】
【０００１】  本発明は、物品を入れて提げて運ぶ提げ袋に関し、より詳言すれば、提げ袋を使用しない時は提げ袋自体に付設したバッグに収納して見栄えよく邪魔にならず、コンパクトに携帯でき、提げ袋を使用する時はバッグから簡単に引き出して提げ袋に展開、各種物品を容易に格納して楽に運べる携帯用の提げ袋に関する。
【背景技術】
【０００２】  従来から薄布製、薄シ−ト製の柔軟材で不使用時には簡単に折り畳み、コンパクトにして容易に携帯でき、使用時には拡げて袋にすることで各種物品を格納して運べるような携帯用の簡易提げ袋が種々提案されている。【０００３】  例えば、特許文献１にあるように、柔軟性シートからなる手提げ袋収納バッグにおいては、手提げ袋収納バッグ自体にポケット部を付設しておいて、手提げ袋収納バッグ自体を折り畳んだときに付設ポケット部に収納できるようにした携帯用手提げ袋収納バッグがある。また、特許文献２にあるように、薄布材、薄シ−ト材からなる折り畳みバッグにおいては、バッグ本体を折り畳む仮想線で折り畳み、纏めて提げ手と共に緩衝パッドで巻回包覆してコンパクトにする携帯用折り畳みバッグがある。
【特許文献１】実用新案登録第３１２１６６９号  公報（第３頁）
【特許文献２】実用新案登録第３１２９６６４号  公報（第６頁）
【発明の開示】
【発明が解決しようとする課題】
【０００４】  前述した従来の手提げ袋である特許文献１のポケット付設の手提げ袋収納バッグでは、不使用時、バッグ本体を折り畳んで、バッグ本体自体に付設したポケットの口を若干開けて収納するため、ポケットの開口部位置に合わせてバッグ本体を折り畳む必要があり、その折り畳み方にも制約、限定される。更に、ポケットに収納後も三つ折にしてテープで装着する必要があった。また使用時、バッグ本体の取り出しも若干開いた口から強制的に引き出すために面倒であった。なお、手提げ袋収納バッグはレジ袋として生ものを入れて汚れる場合が多く、洗濯も多くなる。手提げ袋収納バッグ自体に付設されたポケットでは洗濯時にゴミが入ったり、壊れるという欠点があった。【０００５】  また、特許文献２の折り畳みバッグは、不使用の時にコンパクトにするためにはバッグ本体を扁平状にした後、左部分、右部分それぞれを中央部分上に重ねるように仮想線に沿って三つ折り状に折り畳まなくてはならない。更に、この三つ折り状態で、底部側から巻回するように丸め込み、緩衝パッド位置まで提げ手をも折り込んで纏めなくてはならない。また、纏めた後は緩衝パッドにて全体を巻回包覆し、更に止着具にて連結固定する。このように携帯用にコンパクトにするためには多くの手順と作業があり面倒であるという欠点があった。【０００６】  本発明は、このような従来の欠点を解決しょうとするものであり、提げ袋を使用しない時は提げ袋自体に付設されているバッグに簡単に袋部を収納して、コンパクトなバッグとして携帯でき、提げ袋を使用する時はバッグからワンタッチ的に袋部を取り出して提げ袋に展開、バッグそのものは自動的に提げ手の緩衝パッドになり持ち運びが楽で機能的にも便利であると共に、袋部の洗濯も容易な提げ袋を提供することを目的とする。
【課題を解決するための手段】
【０００７】  上述した課題を解決して目的を達成するため、本発明にあっては、折り畳みや丸めることが可能な薄布材、薄シ−ト材で形成されている提げ袋であって、開口部がある袋本体と、前記袋本体の開口部側面に設けられた左右で一対の提げ手を折り畳んだり丸めたりして収納することができると共に、前記提げ袋の使用時には前記左右の提げ手の一部を包覆して束ねさせるよう、前記左右の提げ手のいずれか一方の提げ手に付設された緩衝パッドにもなるバッグを備えて成ることを特徴とする提げ袋。【０００８】  以上のように構成された本発明の提げ袋にあって、不使用時では前記袋本体と前記左右の提げ手を簡単に折り畳んだり丸めて、一方の提げ手に付設された前記バッグに収納することにより、コンパクトなバッグとして携帯でき、使用時では前記バッグから前記袋本体と前記左右の提げ手を取り出して所定容積を有する提げ袋に展開して使用可能にする。前記バッグの内底面には前記左右の提げ手の一方が付設してあり、その上に他方の提げ手を入れて重ね置き、前期バッグを手指で持ったり、腕や肩等に掛けると前記バッグは緩衝パッドになる。なお、前記バッグの内底面と前記左右の提げ手の一方の付設は縫合としてあるも、これに代え脱着可能な雄雌の面ファスナ−、雄雌で嵌め合うホック、スライドファスナ−も含む。また、前記バッグの口の開閉としてはスライドファスナ−とするも、雄雌の面ファスナ−、雄雌で嵌め合うホックその他とすることもできる。
【発明の効果】
【０００９】  本発明は以上説明したように構成されているため、不使用時の袋本体と提げ手の収納は、簡単に纏めてバッグに収めてコンパクトになり、逆に使用時の袋本体と提げ手の展開に際してもワンタッチ的に行え、また各種物品を格納し、手指で直接に持参したり、腕や肩に掛けたりして携帯するとき、それらが重量的に嵩張るときでも、バッグが緩衝パッドになって手、腕、肩等にソフトに馴染み、重量に起因する手指、腕、肩等にたいする食い込みその他を防止し、その衝撃を緩和できる。【００１０】  すなわちこれは本発明において、折り畳んだり丸めたりした袋本体と提げ手を容易に収納することができる緩衝パッドを兼ねたバッグを一方の提げ手に付設したからであり、バッグ以外の提げ袋部分を全てバッグに収納できるためコンパクト化を図ることが可能となった。【００１１】  袋本体は、柔軟性のある薄布材や薄シート材等からできているため、提げ袋の不使用時では折り畳み線等に拘束されることなく自由自在に折り畳んだり丸めたりして簡単に纏めてバッグに収納して持ち歩ける。提げ袋の使用時では、バッグの大きな開口により抵抗なくワンタッチ的に提げ袋を展開、各種物品の格納が簡単にできる。また、生もの等を入れて汚れた場合でも提げ手によってバッグから離れているため、単独で洗うことが出来る。なお、バッグと提げ手が脱着可能な付設のものは外して洗える。【００１２】  提げ手は、柔軟材を円弧アーチ状等にして袋本体の左右側面上部に固定、袋本体と一体化させることで、袋本体内に格納した各種物品を袋本体の全体で支持されるようにできる。しかも、柔軟性のある布材やシ−ト材からできているため、袋本体と共に折り畳んだり丸めたりして簡単に纏めてバッグに収納できる。提げ袋の使用時はバッグから袋本体と共にワンタッチ的に取り出して展開するとバッグ内底部に固定されている一方の提げ手はバッグに固定されているため、ぶら下がり、それに一体化されている袋本体もぶら下がり状態となる。他方の提げ手はバッグに固定されていないためフリ−であり、袋本体に各種物品を入れる時、袋本体の口を開ける取っ手としても自由に使える。【００１３】  バッグは、内底の中央部に左右の提げ手の一方が固定されているため、提げ袋不使用時は、袋本体と固定されていないフリ−の提げ手と共に、バッグ内底中央部に固定されている提げ手自体も折り畳んだり丸めたりして纏めて全てバッグ内に収納でき、口を閉めるとコンパクトなバッグになる。使用時は、バッグの大きな開口により袋本体と左右の提げ手をワンタッチ的に取り出して展開ができ、袋本体に各種物品を入れて、フリ−の提げ手をバッグの内底中央部に固定されている提げ手の上に重ねて入れてバッグを閉口、掌で握って持ち上げる。又は、腕に掛ける。又は、肩に掛けるとバッグ自体は自動的に緩衝パッドになり重い物品も楽に持ち歩ける。なお、バッグ底に柔軟性の緩衝材を設けると、更に効果的である。また、提げ袋使用時はバッグの口を閉めても閉めなくともよく、閉めるとバッグの中は左右の提げ手の一部のみでほぼ空であり、小銭やレシ−トなど買い物時の小物入れバッグとしても使用でき、便利である。また、バッグ側板の内面や外面に小物入れポケットを設けてもよく、本発明��含まれる。【００１４】  買い物をするときは、機能的なマイ・レジ袋として繰り返し使用でき、現在の省エネ社会に適した世界的な環境問題に寄与する非常に効果的な提げ袋の発明である。
【発明の実施するための最良の形態】
【００１５】  以下、本発明の実施の形態を図１〜図５に基づいて最良の一形態を詳細に説明する。図１は本発明の請求項１に於ける一実施例の提げ袋Ｆの展開斜視図で、薄布材や薄シ−トで形成されている袋本体１は、各種物品が入れられる所定の容量となるように左右幅員、深さ等が適宜に設定され、上部側面に左右で一対にした提げ手２ａと提げ手２ｂがアーチ状に各連設されている。更に、一方の提げ手２ａにはバッグＢの内底面Ｓの中央部が固定されており、バッグＢの側板３（片方のみ図示）にはスライドファスナ−４（片方のみ図示）を設けて、バッグＢの口（図示せず）が開閉できるようになっている。なお、バッグＢの口（図示せず）はバッグＢがほぼ全開になる構造になっている。バッグ側板３や袋本体１の外面に種々の模様やス−パ−名、行政名、企業名などの表示（図示せず）も本発明に含まれる。図２は、図１のバッグＢを明示したものであり、図２（イ）は提げ袋Ｆの展開状態（図１）で、スライドファスナ−４によりバッグＢの口（図示せず）を閉めた状態の正面図。図２（ロ）は図２（イ）のバッグＢのＡ−Ａ線断面図でバッグＢと提げ手２ａの固定内容を示したものであり、袋本体１と提げ手２ｂ及び、提げ手２ａが全てバッグＢの中に収納できるように、バッグＢの内底面Ｓの中央部分Ｌに提げ手２ａが固定されていて、両サイド（図示せず）は固定されておらず、提げ手２ａ自体も畳んで収納できるようになっている。
【００１６】  以上の構成からなる請求項１における一実施例の提げ袋Ｆの使い方を図３〜図５に基づいて具体的に、以下説明する。
【００１７】  図３は提げ袋Ｆを携帯持参する時の手順を示したものであり、図３（イ）は、袋本体１と提げ手２ａ、提げ手２ｂを収納してコンパクトバッグにして携帯する状態のバッグＢの斜視図。図３（ロ）は、バッグＢのスライドファスナ−４を開けて、バッグＢから袋本体１と提げ手２ａ、提げ手２ｂを出して提げ袋Ｆを展開した状態であり、バッグＢと提げ手２ａは固定されているため離れず、袋本体１とフリ−の提げ手２ｂは容易にバックＢから出して展開できる。図３（ハ）は、袋本体１の中に各種物品Ｙを入れた状態であり、このときバッグＢと提げ手２ａを基に提げ手２ｂを取っ手として、袋本体１の口を大きく開くことができる（図示せず）。図３（ニ）は、袋本体１に各種物品Ｙの格納が終わり、バッグＢの内底面Ｓに固定されている提げ手２ａの上に重ねてフリ−の提げ手２ｂを入れて束ねた状態である。図３（ホ）は、スライドファスナ−４によりバッグＢの口（図示せず）を閉めた状態を示す。なお、必要に応じて口（図示せず）を閉めなくてもよい。図３（ヘ）は、手５の掌によりバッグＢを握った状態であり、袋本体１に入れられた各種物品Ｙが重くてもバッグＢの底部（図示せず）が緩衝パットになり手５に負担が掛からない。なお、バッグＢの底部に緩衝材（図示せず）を設けると、更に効果的である。
【００１８】  図４は、提げ袋Ｆを使用しない時、コンパクトバッグにする手順を示したものであり、図４（イ）は、提げ袋Ｆから各種物品Ｙを出して空になり、使い終えた状態の提げ袋Ｆを示したものである。図４（ロ）は、袋本体１と提げ手２ｂ及び、提げ手２ａをバッグＢに収納できるように折り畳んだり、丸めたりして纏めた状態である。図４（ハ）は、袋本体１を提げ手２ａ、提げ手２ｂをバッグＢの中に収納してスライドファスナ−４で口（図示せず）を閉めてコンパクトにしたバッグＢの斜視図。図４（ニ）は、コンパクトにされたバッグＢをＯＬやサラリ−マンがショルダ−バッグＨや鞄（図示せず）などの中に入れたり、フック等で吊るして（図示せず）、邪魔にならず見栄えよく、ポ−チのように気軽に持ち歩くことができることを示したイラスト
【００１９】  図５は、提げ袋Ｆの携帯持参例をイラストで示したものであり、図５（イ）は、掌でバッグＢを握り、手で提げて携帯持参する一例。図５（ロ）は、肘や腕にバッグＢを掛けて携帯持参する一例。図５（ハ）は、肩部にバッグＢを掛けて携帯持参する一例である。
【図面の簡単な説明】
【００２０】
【図１】本発明の請求項１の提げ袋Ｆを実施するための最良の形態を示す斜視図である。
【図２】本発明の一実施例である図１の提げ袋Ｆに於けるバッグＢを明示したものであり、図２（イ）は正面図、図２（ロ）はバッグＢのＡ−Ａ線断面図である。
【図３】本発明の一実施例である図１の提げ袋Ｆを携帯持参する時の手順を斜視図で示したものである。
【図４】本発明の一実施例である図１の提げ袋Ｆを使用しない時にコンパクト化する手順を斜視図で示したものである。
【図５】本発明の一実施例である図１の提げ袋Ｆの携帯持参をイラストで示したものである。
【符号の説明】
【００２１】    １      袋本体
２ａ    バッグ付設の提げ手
２ｂ    フリ−の提げ手
３      バッグ側板
４      スライドファスナ−
５      手
Ｂ      バッグ
Ｆ      提げ袋
Ｈ      ハンドバッグ
Ｌ      固定部
Ｓ      バッグ内底面
Ｙ      各種物品
【図１】
2009028471.tif 000003
【図２】
2009028471.tif 000004
【図３】
2009028471.tif 000005
【図４】
2009028471.tif 000006
【図５】
2009028471.tif 000007